(57)【要約】【課題】排気浄化装置において、メインテナンス性の向上を図るとともに、消費電力の低減を図りつつ、排気中の粒子状物質を十分に除去できるようにすることである。【解決手段】排気流れに関して異なる位置に上流側ＤＰＦ１４と、下流側ＤＰＦ１８とを配置する。上流側ＤＰＦ１４と下流側ＤＰＦ１８との間に帯電装置１６を接続する。帯電装置１６は、粒子状物質を帯電させる帯電用電極と、帯電用電極の排気下流側に設けられ、接地された捕集部とを備える。捕集部は、上流側ＤＰＦ１４から帯電装置１６に送られた粒子状物質の少なくとも一部を、静電的に大きな塊状に集結させた状態で捕集可能とする。【選択図】図１
2009074438.tif 000002
【特許請求の範囲】
【請求項１】
内燃機関の排気に含まれる粒子状物質を除去するための排気浄化装置であって、
排気流れに関して異なる位置に配置された複数の粒子状物質除去フィルタと、
帯電装置と、を備え、
複数の粒子状物質除去フィルタのうち、排気上流側の上流側粒子状物質除去フィルタと、排気下流側の下流側粒子状物質除去フィルタとの間に帯電装置が接続されており、
帯電装置は、粒子状物質を帯電させる帯電部と、帯電部の排気下流側に設けられ、接地された捕集部と、を備え、
捕集部は、帯電された粒子状物質の少なくとも一部を静電的に大きな塊状に集結させた状態で捕集可能とし、
下流側粒子状物質除去フィルタは、捕集部により集結させた粒子状物質の少なくとも一部を捕集可能としていることを特徴とする排気浄化装置。
【請求項２】
請求項１に記載の排気浄化装置において、
帯電部は、負の高電圧により粒子状物質を帯電させることを特徴とすることを特徴とする排気浄化装置。
【請求項３】
請求項１または請求項２に記載の排気浄化装置において、
上流側粒子状物質除去フィルタと下流側粒子状物質除去フィルタとは、互いに同一構造であることを特徴とする排気浄化装置。
【請求項４】
請求項１から請求項３のいずれか１に記載の排気浄化装置において、
捕集部は、多孔質状または網目状の導電体製であり、
下流側粒子状物質除去フィルタは、多孔質状の壁部を有し、受け入れた粒子状物質を、壁部に設けられた微小孔を通じて排出されるようにしており、
壁部に設けられた微小孔の通路幅を、捕集部に設けられた粒子状物質通過用孔の最小の通路幅よりも小さくしていることを特徴とする排気浄化装置。
【発明の詳細な説明】
【技術分野】
【０００１】
本発明は、例えばディーゼルエンジン等の内燃機関の排気に含まれる粒子状物質を除去するための排気浄化装置に関する。
【背景技術】
【０００２】
内燃機関、例えばディーゼルエンジンから排出される排気ガス中には、すす、燃料やエンジンオイルの燃えかす等の粒子状物質（ＰＭ）が含まれる。このため、従来から、例えば、ディーゼルエンジンの排気装置等において、ディーゼル粒子状物質除去フィルタ、すなわちＤＰＦを設けて、粒子状物質を除去することが考えられている。
【０００３】
また、特許文献１には、ディーゼルエンジン排出ガスの煤煙の除去装置であって、ハニカム形態の多孔性エレメント及び一対の電極を収容するディーゼル粉塵フィルタを含んでなる除去装置が記載されている。煤煙がフィルタに蓄積されるとき、電気放電が起こって煤煙は除去されるとされている。
【０００４】
また、特許文献２には、ディーゼルエンジンの排気系に、ＣＦ脱硝装置と、その下流側の低電圧空気清浄装置とを、それぞれ設置した気体浄化装置が記載されている。低電圧空気清浄装置は、直流電源の負極に接続された帯電部材と、帯電部材の下流側で、正極に接続された捕集部材とを備える。これにより、排気ガスを帯電部材及び捕集部材の順に通すことにより、気体中のダストを帯電させ、捕集部材に吸着させることができるとされている。
【０００５】
【特許文献１】特表２００３−５３５２５５号公報
【特許文献２】特開２０００−１３０２７３号公報
【特許文献３】特開２００３−２６９１３４号公報
【発明の開示】
【発明が解決しようとする課題】
【０００６】
特許文献１に記載された除去装置では、放電させるための電極を有するディーゼル粉塵フィルタよりも排気上流側に、導電性を有するすす等のＰＭを捕集するための捕集部を設けていない。このため、除去装置において、内燃機関から排出された、すす等のＰＭがディーゼル粉塵フィルタに送られる前に除去または減少されることがなく、ディーゼル粉塵フィルタ内の非導電性の電極支持部にすす等の導電体が付着して、電極支持部の絶縁性を確保できなくなる可能性がある。電極支持部の絶縁性を確保できなくなると、電極による放電性能が低下して、ＰＭを除去するのに必要な消費電力が大きくなる可能性がある。また、この場合には、電極支持部に付着した導電体を除去する等の手間が生じてメインテナンス性が低下する可能性がある。また、電極支持部に付着した導電体を除去するために、特別な除去装置が必要となる可能性もある。
【０００７】
また、特許文献２に記載された気体浄化装置の場合、低電圧空気清浄装置の排気上流側に金属または高分子樹脂材からなる粗フィルタを設置しており、低電圧空気清浄装置の帯電部材にＰＭが送られる前にＰＭの一部が粗フィルタにより捕集される可能性がないとはいえない。ただし、この気体浄化装置の場合には、帯電部材により帯電後に、正極に接続された捕集部材により捕集されなかったＰＭを捕集することは考慮していない。例えば、気体浄化装置を設けた車両の加速等により排気流量が増大した場合に、捕集部で捕集され、堆積したＰＭが捕集部から剥がれた場合に、そのまま気体浄化装置から大気中に排出されてしまう可能性がある。このため、ＰＭを十分に除去する面からは改良の余地がある。
【０００８】
これに対して、特許文献３には、帯電用電極と、接地極と、ディーゼルパティキュレートフィルタとを内側に備える反応ケースを有する排気浄化装置が記載されている。反応ケースに、エンジンから排出される排気を、排気管を介して反応ケースに供給するようにしている。反応ケース内で、帯電用電極で帯電された後、設置極から流れたＰＭは、ディーゼルパティキュレートフィルタで捕集するとされている。ただし、このような排気浄化装置の場合、エンジンから排出された排気中のＰＭ中のすす等の導電体を、反応ケースに送り込まれる前に捕集する捕集部を設けていない。このため、上記の特許文献１に記載された除去装置と同様に、帯電用電極を支持する非導電性の電極支持部、例えば碍子等にすす等の導電体が付着して、ＰＭを除去するのに必要な消費電力が大きくなる可能性や、メインテナンス性が低下する可能性がある。
【０００９】
本発明は、排気浄化装置において、メインテナンス性の向上を図るとともに、消費電力の低減を図りつつ、排気中の粒子状物質を十分に除去できるようにすることを目的とする。
【課題を解決するための手段】
【００１０】
本発明に係る排気浄化装置は、内燃機関の排気に含まれる粒子状物質を除去するための排気浄化装置であって、排気流れに関して異なる位置に配置された複数の粒子状物質除去フィルタと、帯電装置と、を備え、複数の粒子状物質除去フィルタのうち、排気上流側の上流側粒子状物質除去フィルタと、排気下流側の下流側粒子状物質除去フィルタとの間に帯電装置が接続されており、帯電装置は、粒子状物質を帯電させる帯電部と、帯電部の排気下流側に設けられ、接地された捕集部と、を備え、捕集部は、帯電された粒子状物質の少なくとも一部を静電的に大きな塊状に集結させた状態で捕集可能とし、下流側粒子状物質除去フィルタは、捕集部により集結させた粒子状物質の少なくとも一部を捕集可能としていることを特徴とする排気浄化装置である。
【００１１】
また、好ましくは、帯電部は、負の高電圧により粒子状物質を帯電させる。
【００１２】
また、より好ましくは、上流側粒子状物質除去フィルタと下流側粒子状物質除去フィルタとは、互いに同一構造である。
【００１３】
また、より好ましくは、捕集部は、多孔質状または網目状の導電体製とし、下流側粒子状物質除去フィルタは、多孔質状の壁部を有し、受け入れた粒子状物質を、壁部に設けられた微小孔を通じて排出されるようにし、壁部に設けられた微小孔の通路幅を、捕集部に設けられた粒子状物質通過用孔の最小の通路幅よりも小さくする。
【発明の効果】
【００１４】
本発明に係る排気浄化装置によれば、帯電装置では、帯電部により粒子状物質が帯電され、帯電された粒子状物質を捕集部で静電的に捕集することができる。また、粒子状物質を、捕集部で静電的に集結させた大きな塊状にすることができる。また、塊状の粒子状物質が捕集部から排気下流側に流れた場合でも、流れた粒子状物質を下流側粒子状物質除去フィルタにより十分に捕集することができる。また、帯電装置の排気上流側に上流側粒子状物質除去フィルタを設けているため、内燃機関から排出された後、帯電装置に送られる粒子状物質を少なくでき、帯電装置の非導電性を有する帯電部支持部に付着する粒子状物質を十分に少なく抑えることができる。このため、帯電部支持部に付着した粒子状物質を除去する等の手間を抑えることができ、メインテナンス性の向上を図れるとともに、帯電装置で帯電すべき粒子状物質の量を少なくできることと相まって、粒子状物質を除去するのに必要な消費電力の低減を図れる。この結果、メインテナンス性の向上を図れるとともに、消費電力の低減を図りつつ、排気中の粒子状物質を十分に除去できる。
【００１５】
これに対して、本発明に係る排気浄化装置から帯電装置を省略した、本発明から外れる構造の場合には、粒子状物質除去フィルタから下流側にある範囲の大きさの粒子状物質が捕集されることなく、流出しやすくなってしまう。例えば、ある範囲としては、１００ｎｍの近辺の粒径であり、この範囲は、特に排気浄化装置を使用する場合において、実用性を確保しようとした場合には、粒子状物質除去フィルタの構造にかかわらず、ほとんど変化しないことが分かっている。これに対して、本発明によれば、上流側粒子状物質除去フィルタの排気下流側に帯電装置を設けているため、帯電装置に１００ｎｍ近辺の大きさ、すなわち粒径の粒子状物質が多く送られた場合でも、帯電捕集により粒子状物質を塊状に大きく変化させることができ、帯電装置から多く流出される粒子状物質の大きさを１００ｎｍ近辺の粒径から大きくずらすことができる。１００ｎｍ近辺から大きくずれた粒径を有する粒子状物質は、下流側粒子状物質除去フィルタにより十分に捕集できる。この結果、本発明によれば、排気浄化装置から排出される粒子状物質を十分に少なく抑えることができる。
【００１６】
また、上流側粒子状物質除去フィルタと下流側粒子状物質除去フィルタとは、互いに同一構造である構成によれば、排気浄化装置から排出される粒子状物質を十分に少なく抑えながら、部品の共通化によるコスト低減を図れる。
【００１７】
また、捕集部は、多孔質状または網目状の導電体製とし、下流側粒子状物質除去フィルタは、多孔質状の壁部を有し、受け入れた粒子状物質を、壁部に設けられた微小孔を通じて排出されるようにし、壁部に設けられた微小孔の通路幅を、捕集部に設けられた粒子状物質通過用孔の最小の通路幅よりも小さくする構成によれば、捕集部から流れた粒子状物質を下流側粒子状物質除去フィルタにより、より有効に捕集しやすくなる。
【発明を実施するための最良の形態】
【００１８】
以下において、図面を用いて本発明に係る実施の形態につき詳細に説明する。図１は、本発明の実施の形態の１例の排気浄化装置の略構成図である。図２は、図１の排気浄化装置が備える帯電装置を示す略断面図である。図３は、粒子状物質の大きさが帯電装置の捕集部で大きくなる状態を説明するための模式図である。
【００１９】
図１に示すように、排気浄化装置１０は、内燃機関であるディーゼルエンジン１２から排出される排気を供給される上流側ディーゼル粒子状物質除去フィルタである、上流側ＤＰＦ１４と、上流側ＤＰＦ１４よりも排気下流側（図１の右側）に設けられた帯電装置１６と、帯電装置１６よりも排気下流側に設けられた下流側ディーゼル粒子状物質除去フィルタである、下流側ＤＰＦ１８とを備える。ディーゼルエンジン１２、上流側ＤＰＦ１４、帯電装置１６、下流側ＤＰＦ１８は、それぞれ排気管２０により接続されている。このような排気浄化装置１０は、ディーゼルエンジン１２の排気に含まれる粒子状物質、すなわちＰＭを除去して、排気を浄化することを目的とする。
【００２０】
上流側ＤＰＦ１４と、下流側ＤＰＦ１８とは、互いに同一構造を有し、同一性能を有するもので、排気流れに関して異なる位置に配置されている。各ＤＰＦ１４，１８は、排気中のＰＭのうち、特に、すすを主に捕集するフィルタ本体を、ケース内に保持している。例えば、フィルタ本体は、多孔質のハニカム焼結体により構成する。例えば、ハニカム焼結体は、セラミックス焼結体の一種であるコージェライトの焼結体とする。ハニカム焼結体は、ハニカム状の壁部を有し、受け入れたＰＭを、壁部に設けられたフィルタ側微小孔を通過させた後に排出するようにしている。フィルタ側微小孔は、μｍのオーダーの極小さい通路幅を有する。
【００２１】
また、帯電装置１６は、図２に詳しく示すように、導電性を有するケース２２の内側に、帯電部である帯電用電極２４と、捕集部２６とを備える。ケース２２は、排気を受け入れるための排気入口２８と、排気を送り出すための排気出口３０とを有する。帯電用電極２４は、棒状で、周囲を通過するＰＭを帯電させる。帯電用電極２４の排気下流側（図２の右側）に複数の突起を設けている。帯電用電極２４の両端は、電極支持部である碍子３２を介して絶縁した状態で、ケース２２に支持している。帯電用電極２４は、排気流れ方向（図２の矢印Ａ方向）に対して直交する方向に配置している。帯電用電極２４は、電源装置３４の負極側に接続されて、例えば−１０ｋＶの一定の負の高電圧が印加されるようにしている。
【００２２】
また、捕集部２６は、接地したケース２２に支持され、電気的に接続されることにより、接地極の役目を有する。捕集部２６は、帯電用電極２４の対極となる。捕集部２６は、多孔質状または網目状の金属等の導電体製である。例えば、捕集部２６は、発泡金属またはステンレス網等により構成する。捕集部２６は、後で詳しく説明するように、ケース２２内に送られたＰＭ３６の少なくとも一部を、静電的に大きな塊状に集結させた状態で捕集可能とする。このような帯電装置１６は、上記の特許文献３に記載された反応ケースにおいて、ディーゼルパティキュレートフィルタを除いた構造と同様の機能を有する。また、下流側ＤＰＦ１８は、捕集部２６により集結され、捕集部２６から流れたＰＭ３６の少なくとも一部を捕集可能とする。
【００２３】
なお、捕集部２６に、ＰＭ酸化触媒や、ＮＯｘ浄化触媒等の触媒を担持させることもできる。また、捕集部２６に設けている粒子状物質通過用孔である、孔３５（後述する図３）の最小の通路幅Ｄ（図３）は、上流側ＤＰＦ１４及び下流側ＤＰＦ１８のそれぞれに設けているフィルタ側微小孔の通路幅よりも大きくする。逆に言えば、フィルタ側微小孔の通路幅は、捕集部２６に設けている孔３５の最小の通路幅Ｄよりも小さくする。
【００２４】
このように構成することにより、電源装置３４により帯電用電極２４に、負の高電圧を印加すると、帯電用電極２４と捕集部２６との間で電圧勾配が生じて、帯電用電極２４の周囲にプラズマが発生する。そして、帯電装置１６に供給された排気中のＰＭがプラズマにより負に帯電される。帯電されたＰＭは、捕集部２６により静電的に塊状に集結した状態で捕集される。
【００２５】
図３は、上記の特許文献３に記載された排気浄化装置において、接地極に粒子状物質が集塵されるのと同様に、捕集部２６に粒子状物質である、ＰＭ３６が大きな塊状に集結して、塊状ＰＭ３８となる状態を示している。図３に示すように、ケース２２（図２）内に送られ、捕集部２６でのＰＭ３６の集結量、すなわち堆積量が多くなると、塊状ＰＭ３８の一部が捕集部２６から大きな塊で剥がれる。剥がれた塊状ＰＭ３８は、ケース２２（図２）内から排気下流側に排出された後、下流側ＤＰＦ１８（図１）に送られる。下流側ＤＰＦ１８では、大きな塊状ＰＭ３８が多く送られるため、多くのＰＭ３６が下流側ＤＰＦ１８で捕集される。下流側ＤＰＦ１８から排出された排気は、図示しないマフラーを介して大気中に排出される。このように帯電装置１６（図１、図２）は、ＰＭ３６の大きさを拡大する粒子状物質拡大化装置の機能を有する。
【００２６】
なお、図１に戻り、排気浄化装置１０に図示しないコントローラを設けて、コントローラによりディーゼルエンジン１２の回転数を上昇させたり、燃料の噴射タイミングを変化させることにより、排気温度を上昇させる制御を行うこともできる。
【００２７】
このような本実施の形態の排気浄化装置１０によれば、帯電装置１６では、帯電用電極２４によりＰＭ３６が負の高電圧により帯電され、帯電されたＰＭ３６を排気下流側の捕集部２６で静電的に捕集することができる。また、捕集部２６でＰＭ３６を、静電的に終結した大きな塊状ＰＭ３８とすることができる。また、塊状ＰＭ３８が捕集部２６から排気下流側に流れた場合でも、流れた塊状ＰＭ３８を下流側ＤＰＦ１８により十分に捕集することができる。
【００２８】
また、帯電装置１６の排気上流側に上流側ＤＰＦ１４を設けているため、ディーゼルエンジン１２から排出された後、帯電装置１６に送られるＰＭ３６を少なくできる。すなわち、ディーゼルエンジン１２から排出されたＰＭ３６のうちの大半を、上流側ＤＰＦ１４で除去できる。そして、帯電装置１６に送られることにより、帯電装置１６の帯電用電極２４を支持する非導電性を有する碍子３２に付着するＰＭ３６を十分に少なくできる。このため、碍子３２に付着したＰＭ３６を除去する等の手間を抑えることができ、メインテナンス性の向上を図れる。また、帯電装置１６で帯電すべきＰＭ３６の量を少なくできることと相まって、ＰＭ３６を除去するのに必要な消費電力の低減を図れる。
【００２９】
例えば、本発明の発明者の実験によると、本実施の形態の構成で上流側ＤＰＦ１４を除いた構成を有する、本発明から外れる排気浄化装置で、排出される排気に含まれるＰＭをある量以下に抑えるために必要な電力が、２０ｋＶで０．８ｍＡの場合に１６Ｗであったのに対し、本実施の形態と同様の排気浄化装置によれば、必要電力が２０ｋＶで０．３７ｍＡの場合には７．４Ｗとなり、上流側ＤＰＦ１４がない場合に比べて、消費電力を約５４％低減と十分に少なくできる、すなわち省電力化を図れることが分かった。また、本実施の形態によれば、碍子３２に付着したＰＭ３６を除去するために、別の除去装置を新たに設ける必要がなくなる。この結果、本実施の形態によれば、製造コストを抑え、かつ、メインテナンス性の向上を図れるとともに、消費電力の低減を図りつつ、排気中のＰＭを十分に除去できる。
【００３０】
また、上流側ＤＰＦ１４と下流側ＤＰＦ１８とは、互いに同一構造であるので、排気浄化装置１０から排出されるＰＭ３６を十分に少なく抑えながら、部品の共通化によるコスト低減を図れる。
【００３１】
また、捕集部２６は、多孔質状または網目状の導電体製とし、下流側ＤＰＦ１８は、多孔質状の壁部を有し、受け入れたＰＭ３６を、壁部に設けられたフィルタ側微小孔を通じて排出されるようにし、フィルタ側微小孔の通路幅を、捕集部２６に設けられたＰＭ通過用孔である孔３５の最小の通路幅Ｄよりも小さくする場合には、捕集部２６から流れたＰＭ３６を下流側ＤＰＦ１８により、より有効に捕集しやすくなる。
【００３２】
図４、図５は、本実施の形態の構成による効果をより詳しく説明するための図である。図４は、上流側ディーゼル粒子状物質除去フィルタ（上流側ＤＰＦ）での粒子状物質（ＰＭ）の粒径に対する捕集率分布の１例を示す図である。図５は、本実施の形態による効果を確認するために行われた実験結果において、ディーゼルエンジン１２または帯電装置１６から排出された直後の粒子状物質（ＰＭ）の粒径に対する排出率分布を示す図である。図４に実線αで示すように、上流側ＤＰＦ１４（図１）での全部の粒径のＰＭ３６（図３）に対する、各粒径のＰＭ３６の捕集率は、粒径がある範囲、例えば１００ｎｍの近辺の範囲で、過度に低下することが分かっている。なお、本実施の形態の説明及び図面で、「ＰＭの粒径」とは、ＰＭ３６の粒径だけでなく、ＰＭ３６が塊状に集結した塊状ＰＭ３８の径も含む。
【００３３】
このようにＰＭ３６の捕集率が、粒径がある範囲で過度に低下する理由は次の通りである。すなわち、図４の一点鎖線βは、上流側ＤＰＦ１４でのＰＭ３６の捕集率のうち、ＰＭ３６の分子間力及びブラウン運動で上流側ＤＰＦ１４にＰＭ３６が捕集されるという原因のみにより生じる捕集率を表している。また、図４の二点鎖線γは、上流側ＤＰＦ１４でのＰＭ３６の捕集率のうち、ＰＭ３６の大きさが上流側ＤＰＦ１４のフィルタ側微小孔の大きさよりも大きくなるという原因のみにより生じる捕集率を表している。
【００３４】
ＰＭ３６の粒径が１００ｎｍ近辺よりも小さくなると、ＰＭ３６と上流側ＤＰＦ１４のフィルタ本体との間に作用する分子間力により、ＰＭ３６がフィルタ本体に付着しやすくなる。また、ＰＭ３６の粒径が１００ｎｍよりも小さくなると、ＰＭ３６がブラウン運動しやすくなることにより、フィルタ本体の壁部に設けられたフィルタ側微小孔にＰＭ３６が留まりやすくなる。この結果、図４に示すように、ＰＭ３６の粒径がある範囲、すなわち１００ｎｍ近辺の粒径よりも小さくなると、上流側ＤＰＦ１４でＰＭ３６が捕集されやすくなる。
【００３５】
また、ＰＭ３６の粒径が１００ｎｍ近辺よりも大きくなると、ＰＭ３６の粒径が上流側ＤＰＦ１４のフィルタ側微小孔よりも大きくなることにより、ＰＭ３６が上流側ＤＰＦ１４により捕集されやすくなる。すなわち、図４に示すように、ＰＭ３６の粒径がある範囲、すなわち１００ｎｍ近辺の粒径よりも大きくなると、上流側ＤＰＦ１４でＰＭ３６が通過する部分との寸法差により捕集されやすくなる。
【００３６】
この結果、上流側ＤＰＦでは１００ｎｍ近辺の粒径のＰＭ３６を捕集しにくくなるため、上流側ＤＰＦ１４からは１００ｎｍ近辺の粒径のＰＭ３６が多く流出される。これに対して本実施の形態では、上流側ＤＰＦ１４の排気下流側に帯電装置１６を設けている。そして、上記で説明したように帯電装置１６では、帯電用電極２４による帯電によりＰＭ３６を塊状ＰＭ３８に変えて、粒径を大きくすることができる。このため、ＰＭ３６が捕集部２６から剥がれて、帯電装置１６から流出した場合でも、上流側ＤＰＦ１４と同一構造を有する下流側ＤＰＦ１８により、１００ｎｍ近辺から外れた大きな粒径を有する多くのＰＭ３６を捕集することができ、結果として下流側ＤＰＦ１８から排出されるＰＭ３６を十分に少なくできる。
【００３７】
図５では、一点鎖線δにより、ディーゼルエンジン１２（図１）から排出された直後のＰＭ３６、塊状ＰＭ３８の排出率を表している。また、実線ηにより、ディーゼルエンジン１２から排出された後、帯電装置１６から帯電後に排出された直後のＰＭ３６、塊状ＰＭ３８の排出率を表している。なお、図５では排出率の分布を表しており、実際のＰＭ３６、塊状ＰＭ３８の排出量は、帯電装置１６から排出直後のもの（図５の実線η）で、ディーゼルエンジン１２から排出直後のもの（図５の一点鎖線δ）よりも全体的に少なくなっている。図５に示す実験結果から明らかなように、本実施の形態によれば、帯電装置１６を通過させることにより、排出される量が最も多いＰＭ３６の粒径を、１００ｎｍから大きく外れた１．５μｍに大きくすることができることを確認できた。
【００３８】
なお、本発明は、本実施の形態の構成に限定するものではなく、例えば、帯電装置１６の捕集部２６の構造も、発泡金属またはステンレス網により構成するものに限定せず、メッキ多孔質体や、導電性塗料を塗布したハニカム構造のフィルタ等、種々の構造を採用できる。
【図面の簡単な説明】
【００３９】
【図１】本発明の実施の形態の１例の排気浄化装置の略構成図である。
【図２】図１の排気浄化装置が備える帯電装置を示す略断面図である。
【図３】粒子状物質の大きさが帯電装置の捕集部で大きくなる状態を説明するための模式図である。
【図４】上流側ディーゼル粒子状物質除去フィルタ（上流側ＤＰＦ）での粒子状物質（ＰＭ）の粒径に対する捕集率分布の１例を示す図である。
【図５】本実施の形態による効果を確認するために行われた実験結果において、ディーゼルエンジンまたは帯電装置から排出された直後の粒子状物質（ＰＭ）の粒径に対する排出率分布を示す図である。
【符号の説明】
【００４０】
１０  排気浄化装置、１２  ディーゼルエンジン、１４  上流側ＤＰＦ、１６  帯電装置、１８  下流側ＤＰＦ、２０  排気管、２２  ケース、２４  帯電用電極、２６  捕集部、２８  排気入口、３０  排気出口、３２  碍子、３４  電源装置、３５  孔、３６  粒子状物質（ＰＭ）、３８  塊状ＰＭ。
【図１】
2009074438.tif 000003
【図２】
2009074438.tif 000004
【図３】
2009074438.tif 000005
【図４】
2009074438.tif 000006
【図５】
2009074438.tif 000007